(57)【要約】【課題】本の化粧裁ち装置の効率を向上させる【解決手段】本１００は、前縁裁断ステーション１００において、前縁１０４が搬送方向に平行になるように搬送装置１０の搬送部１４によって搬送され、往復運動するナイフ２２によって前縁１０４を化粧裁ちされる。その後、本１００は、縁裁断ステーション６０において、側縁１０６，１０８が搬送方向に平行になるように搬送装置１０の搬送部１８によって搬送され、往復運動するナイフ６２，６４によって側縁１０６，１０８を化粧裁ちされる。【選択図】図１
2004268253.tif 000002
【特許請求の範囲】
【請求項１】
前縁と２つの側縁を有する単体の本を化粧裁ちする方法であって、
前記前縁が搬送方向に平行になるように前記搬送方向に本を搬送することと、
前記前縁が前記搬送方向に平行な時に、往復運動する第１のナイフを用いて前記本の前記前縁を裁断することと、
前記側縁が前記搬送方向に平行になるように前記本を搬送することと、
前記側縁が前記搬送方向に平行な時に、往復運動する第２および第３のナイフを用いて前記側縁を裁断することとを含む方法。
【請求項２】
前記側縁の前に前記前縁を裁断する、請求項１に記載の方法。
【請求項３】
前記本の背は、前記前縁を裁断する前、および／または前記前縁を裁断する時に、固定されたガイドに当接させられて位置合わせされる、請求項１に記載の方法。
【請求項４】
前記側縁を裁断する前に、前記本の背に線を付けることをさらに含む、請求項１に記載の方法。
【請求項５】
前記線付けは、レーザによる線付けである、請求項４に記載の方法。
【請求項６】
前記本は、前記前縁の裁断と前記側縁の裁断の間に前記本の面内で９０度回転させられる、請求項１に記載の方法。
【請求項７】
前記搬送方向は、前記本が回転させられる時に９０度変えられる、請求項６に記載の方法。
【請求項８】
前記搬送方向は、前記本が回転させられる時に同じままにされる、請求項６に記載の方法。
【請求項９】
最初の裁断の前に、前記本を鉛直な位置から水平な位置に回転させることをさらに含む、請求項１に記載の方法。
【請求項１０】
本を搬送方向に搬送する搬送装置と、
前記本の前縁を化粧裁ちする、往復運動する前部用のナイフであって、前記搬送装置の、前記前部用のナイフのところでの前記搬送方向に平行な第１のブレードエッジを有する前部用のナイフと、
前記本の側縁を化粧裁ちする、往復運動する少なくとも１つの側部用のナイフであって、該側部用のナイフのところでの前記搬送方向に平行な第２のブレードエッドを有する側部用のナイフとを有する、単体の本の化粧裁ち装置。
【請求項１１】
前記搬送装置は、前記本を該本の面内で９０度回転させる回転ユニットを含んでいる、請求項１０に記載の化粧裁ち装置。
【請求項１２】
前記回転ユニットは軌道式の回転ユニットである、請求項１１に記載の化粧裁ち装置。
【請求項１３】
前記前部用のナイフは前記側部用のナイフの上流にある、請求項１０に記載の化粧裁ち装置。
【請求項１４】
前記本の背を当接させて位置合わせするために前記前部用のナイフのところに、固定されたガイドをさらに有する、請求項１０に記載の化粧裁ち装置。
【請求項１５】
前記搬送装置は、前記背を前記固定されたガイドに当接させて移動させるために、前記固定されたガイドに対して角度が付いた第１の搬送部と、前記固定されたガイドに平行な第２の搬送部を含んでいる、請求項１４に記載の化粧裁ち装置。
【請求項１６】
前記側部用のナイフの上流にレーザ式の線付け装置をさらに有する、請求項１０に記載の化粧裁ち装置。
【請求項１７】
前記側部用のナイフの上流に位置合わせ装置をさらに有する、請求項１０に記載の化粧裁ち装置。
【請求項１８】
前記側部用のナイフと前記前部用のナイフは同じ構成を有している、請求項１０に記載の化粧裁ち装置。
【請求項１９】
中綴じ機と、
本を中綴じ式の位置から水平な位置な位置に搬送する第１の搬送機と、
本を搬送方向に搬送する第２の搬送機と、前記本の前縁を化粧裁ちする、往復運動する前部用のナイフであって、前記第２の搬送機の、前記前方用のナイフのところでの前記搬送方向に平行な第１のブレードエッジを有する前部用のナイフと、前記本の側縁を化粧裁ちする、往復運動する側部用のナイフであって、該側部用のナイフのところでの前記搬送方向に平行な第２のブレードエッジを有する側部用のナイフとを有する、前記本を前記第１の搬送機から受け取る、単体の本の化粧裁ち装置とを有する、本用の本仕上げ装置。
【発明の詳細な説明】
【技術分野】
【０００１】
本発明は、本を化粧裁ちする方法および装置に関する。
【背景技術】
【０００２】
本が機械を通って進んでいる時に本の前縁と側縁に化粧裁ち処理を行なう機械が、ここで参照することによって本明細書に取り入れられている特許文献１に開示されている。この機械は、水平方向に往復運動させられる、インフィードコンベヤから、そのコンベヤの方向に移動した時に本を受け取る、前縁の化粧裁ち用の台を含んでいる。本はこの台に固定され、前縁が化粧裁ちされる。その後、側縁の化粧裁ち機を備える側縁用の台が、本が固定されている時にその本の側部を化粧裁ちするのに用いられる。
【０００３】
裁断される物体を搬送チェーン上のつかみ具によって裁断ステーションのストッパに当接させて搬送する、３つのナイフ式の裁断機械が特許文献２に開示されている。その裁断ステーションのところで、本は押圧板によって押さえつけられ、３回の裁断が、往復運動する２つの側部用のナイフと前部用のナイフによって行なわれている。
【０００４】
折丁とカバーからなる本用の本化粧裁ち機が特許文献３に開示されている。
【０００５】
金属製造技術において、鍛造物のレーザトリミングが特許文献４に開示されており、金属板と、それから切断された金属片を前進させる供給装置が特許文献５に開示されている。
【０００６】
単体の本ではなく、ストリームフィーダー状に流れている製品に化粧裁ちを行なう、丸のこに類似した、回転ナイフ式の化粧裁ち機も公知である。例えば、４つまでの回転式のナイフによって回転式の化粧裁ちを行なうRS-830回転ナイフ式化粧裁ち機が、Rima Systems of Huntigton Beach, Californiaによって提供されている。
【特許文献１】米国特許第３７３３９４７号明細書
【特許文献２】米国特許第４５０５１７３号明細書
【特許文献３】米国特許第６０５６４９２号明細書
【特許文献４】米国特許第５１８７９６７号明細書
【特許文献５】米国特許第３５８８６１９号明細書
【発明の開示】
【発明が解決しようとする課題】
【０００７】
本発明の目的は、単体の本の化粧裁ち装置の効率を向上させることにある。本発明の他の、または付加的な目的は、単体の本の化粧裁ち装置用のナイフの構成を簡素にすることにある。
【課題を解決するための手段】
【０００８】
本明細書において定義される「本」は、雑誌を含むあらゆる印刷製品を含んでいる。
【０００９】
本発明は、前縁と２つの側縁を有する単体の本を化粧裁ちする方法であって、前縁が搬送方向に平行になるように本を搬送方向に搬送することと、前縁が搬送方向に平行である時に、往復運動する第１のナイフを用いて本の前縁を裁断することと、側縁が搬送方向に平行になるように本を搬送することと、側縁が搬送方向に平行である時に、往復運動する第２および第３のナイフを用いて側縁を裁断することとを含む方法を提供する。
【００１０】
運動方向に平行に縁を裁断する往復運動するナイフを用いることによって、効率を向上させることができ、低コストの往復運動式ナイフ組立体を単体の本を化粧裁ちするのに用いることができる。さらに、同様のナイフ構成を３つ全てのナイフに用いることができる。回転式のナイフを用いてストリームフィード状に流れているものを裁断するよりも高品質の裁断を行なうことができる。前部裁断用のナイフを移動方向に位置合わせする必要がない。
【００１１】
前縁は側縁より先に裁断し、前縁を裁断する時に本の背を固定されたガイドに当接させて位置合わせするのが好ましい。有利なことに、背に加えて前部が簡素な低コストの方法を用いて位置合わせされる。誤った重なりの影響が低減される。側部用のナイフによる裁断の前に背に線を付けてもよい。
【００１２】
側部の裁断の前に、チッピングを低減するために、背の側部のところにレーザによって線を付けるのが好ましい。
【００１３】
本は、前縁の裁断と側縁の裁断の間に、搬送方向が９０度変えられるように、本の面内で９０度回転させるのが好ましい。
【００１４】
本は、例えば中とじ式の搬送機上でとじ合わせ、その後、最初の裁断の前に自身の側面が下になるように回転させてもよい。
【００１５】
本発明は、本を搬送方向に搬送する搬送装置と、本の前縁を化粧裁ちする、往復運動する前部用のナイフであって、搬送装置の、前部用のナイフのところでの搬送方向に平行な第１のブレードエッジを有する前部用のナイフと、本の側縁を化粧裁ちする、往復運動する少なくとも１つの側部用のナイフであって、側部用のナイフのところでの搬送方向に平行な第２のブレードエッジを有する側部用のナイフとを有する、単体の本の化粧裁ち装置も提供する。
【００１６】
搬送装置は、本の面内で本を９０度回転させる回転ユニットを含むのが好ましい。回転ユニットは軌道式の回転ユニットまたは直列型の回転ユニットであってよい。
【００１７】
前部用のナイフは側部用のナイフの上流にあるのが好ましい。本の背を固定されたガイドに当接させて位置合わせするために、固定されたガイドを前部用のナイフのところに設けてもよい。搬送装置は、背を固定されたガイドに当接させるために、固定されたガイドに対して角度を付けられた第１の搬送部と、固定されたガイドに平行な第２の搬送部を含んでいてよい。
【００１８】
レーザ式の線付け装置を側部用のナイフの上流に設けてもよく、本がどのように丁合いされているかに応じて頂部側か底部側の側縁用の位置合わせ装置を設けてもよい。
【００１９】
ねじれベルトによって、例えば中とじ式の搬送機を用いたとじ装置から本を移動させ、
本を中とじ式の位置から水平な位置に回転させ、本を搬送装置に給送してもよい。
【００２０】
往復運動する各ナイフは同じ構成のものであってよく、裁断の間、本の背に平行であり、または本の背に対して所定の角度を有する直線状のブレードエッジを有するのが好ましい。これらのナイフは、例えば、ウエブサイトwww.sdmc.comを有するStandard Duplicating Machines Corporation of Andover, Messachusettsによって製造されたＨＴスタイルのナイフであってよく、または、例えば、ピストン駆動されるものであってよい。本明細書において定義される「往復運動するナイフ」は、ナイフエッジが本の平面に移動し、本の平面から離れて、本を化粧裁ちすることを意味している。
【発明を実施するための最良の形態】
【００２１】
以下、図面を参照して本発明の実施形態について説明する。
【００２２】
図１は、化粧裁ちされていない本１００が搬送装置１０の第１の搬送部１２に入り、搬送装置１０の第２の搬送部１４の搬送方向Ｄ２に対してわずかに角度を付けられた方向Ｄ１に搬送される、本発明の第１の実施形態の模式的な平面図である。例えば、第１の搬送部１２は回転ローラを含んでいてよく、第２の搬送部１４は搬送ベルトを含んでいてよい。こうして、本１００の背１０２が、固定されたガイド３０に当接させられ、その結果、本１００の前縁１０４が適切に位置合わせされる。
【００２３】
本１００は、第２の搬送部１４において、本１００の平面が水平になるように搬送されるのが好ましい。本１００の前縁１０４は、前縁裁断ステーション２０において、往復運動するナイフ２２によって化粧裁ちされる。本１００を、裁断している間固定するためにクランプ２４を設けてもよい。ナイフ２２は駆動部７２によって往復運動させることができる。
【００２４】
搬送装置１０は、部分的に化粧裁ちされた本１００を第２の搬送部１４から把持し、本１００をその面内で９０度回転させ、本１００がどのように丁合いされているかに応じて頂部側の側縁１０６または底部側の側縁１０８を位置合わせする、搬送装置１０の位置合わせ装置４０に本１００を搬送する軌道式の回転ユニット１６をさらに含んでいる。底部側の側縁１０８を位置合わせすることが望まれる場合、本１００は位置合わせ装置４０によって方向Ｄ３に側方のガイドに当接させられて移動させられ、頂部側の側縁１０６を位置合わせすることが望まれる場合、本１００は位置合わせ装置４０によって方向Ｄ４に側方のガイドに当接させられて移動させられる。その後、側部を位置合わせされた本１００は搬送装置１０の、他の搬送部１８を通過する。レーザ式の線付け装置５０によって背１０２の縁のところで背１０２にレーザによって線を付けてもよく、それによって、側部の化粧裁ち時のチッピングを低減することができる。
【００２５】
次に、本１００は、往復運動する第１の側部用のナイフ６２、往復運動する第２の側部用のナイフ６４、および各クランプ６６と６８を有する縁裁断ステーション６０へと搬送方向Ｄ５に搬送部１８によって搬送される。ナイフ６２，６４を往復運動させるために共通の駆動部７０を設けることができる。
【００２６】
そして、本１００は完全に化粧裁ちされて裁断装置から出される。望まれるなら、本１００をさらにその面内で９０度さらに回転させ、往復運動する第４のナイフによって背１０２を化粧裁ちすることも可能である。
【００２７】
図２は、搬送方向Ｄ６が最初の位置合わせ装置の後も同じままにされる他の実施形態の平面図である。
【００２８】
図３に模式的に示すように、本１００は、本１００の平面が鉛直である、中とじ式の搬送機８０上の本１００をとじ合わせるとじ機８２によって最初にとじ合わせてもよい。その後、本１００は、本１００をその平面が水平になるまでねじるねじりベルト式の搬送機９０によって搬送される。
【００２９】
図２に戻って、搬送機９０からの本１００は第１の位置合わせ装置１１２に搬送され、本１００の背１０２が当接させられて位置合わせされる固定されたガイド１３０に当接させられて搬送方向Ｄ７に移動させられ、その結果、前縁１０４が位置合わせされる。前縁１０４は前縁裁断ステーション１２０によって化粧裁ちされる。裁断ステーション１２０は、シャフト１２８を有する駆動部２００によって駆動される。図３に示すように、駆動部２００のシャフト１２８は、ナイフ１２２を、それが上下に往復運動するように駆動する駆動アーム１２９に固定されている。このようにして、ナイフ１２２は、前縁１０４を裁断するように方向Ｃ１に移動させられる。ブレードエッジ１２４を本１００の平面に平行に保ち、または前縁１０４をブレードエッジ１２４によって所定の角度で裁断することができる。
【００３０】
次に、本１００の縁を把持し、その把持部が直線状に移動するにつれて本１００を回転させる、直列型の回転装置１１６によって本１００をその面内で９０度回転させることができる。本１００が縁裁断ステーション１６０に到達し、他の搬送部１１８によって搬送される時、両側縁１０６，１０８は搬送方向Ｄ６に平行であり、往復運動する側部用のナイフ１６２，１６４によってそれぞれ裁断することができる。側部用のナイフ１６２，１６４は、ナイフ１２２と同一の構成のものであってよく、本１００の平面に平行である場合を含む所定の角度で本１００を裁断するものであってよい。
【００３１】
ナイフ１６２，１６４は、共通の駆動部２００によって駆動される駆動シャフト１６８によって往復運動させてもよい。
【図面の簡単な説明】
【００３２】
【図１】軌道式の回転ユニットを用いた、本発明の第１の実施形態の化粧裁ち装置の模式的な平面図である。
【図２】直列型の回転ユニットを用いた、本発明の第１の実施形態の化粧裁ち装置の模式的な平面図である。
【図３】図２の実施形態の、模式的な部分側面図である。
【符号の説明】
【００３３】
１０    搬送装置
１２，１４，１８    搬送部
１６    回転ユニット
２０，１２０    前縁裁断ステーション
２２，６２，６４，１２２，１６２，１６４    ナイフ
２４    クランプ
３０，１３０    ガイド
４０，１１２    位置合わせ装置
５０    線付け装置
６０，１６０    縁裁断ステーション
６６，６８    クランプ
７０，７２，２００    駆動部
８０，９０    搬送機
８２    とじ機
１００    本
１０２    背
１０４    前縁
１０６，１０８    側縁
１１６    回転装置
１２４    ブレードエッジ
１２８    シャフト
１２９    駆動アーム
【図１】
2004268253.tif 000003
【図２】
2004268253.tif 000004
【図３】
2004268253.tif 000005